(57)【特許請求の範囲】
【請求項１】
ホットパック加温装置で加温されるホットパックであって、
前記ホットパック加温装置は、湯が貯められる加温槽を備え、前記加温槽内の前記湯で前記ホットパックを加温するものであり、前記加温槽内に、前記ホットパックを所定方向スライド可能に収納するホットパック収納手段を具備し、前記ホットパック収納手段は、前記ホットパックに取り付けた係合部に係合する被係合部を備え、
前記ホットパックは前記係合部を着脱可能に備えている、
ことを特徴とするホットパック。
【請求項２】
前記係合部の着脱が可能な係止部を当該ホットパックの側面上部に備えている、
ことを特徴とする請求項１に記載のホットパック。
【請求項３】
前記ホットパックを前記加温槽内から少なくとも取出す際に支持するための支持部を備えている、
ことを特徴とする請求項１または２に記載のホットパック。
【請求項４】
前記支持部を前記係合部と一体に設けている、
ことを特徴とする請求項３に記載のホットパック。
【請求項５】
請求項１ないし４のいずれか一項に記載のホットパックと、前記ホットパック加温装置と、を備えている、
ことを特徴とするホットパック加温システム。
【請求項６】
前記係合部はフック形状を有しており、
前記被係合部は、所定方向に延びるレール状であって当該被係合部上のいずれの箇所にも前記係合部を係合可能であり、
且つ前記被係合部は、当該被係合部上の任意の箇所で係合させた前記係合部を前記ホットパックと共に前記所定方向に沿ってスライド可能にしてある、
ことを特徴とする請求項５に記載のホットパック加温システム。
【請求項７】
前記被係合部は、前記加温槽内に着脱可能に設けられている、
ことを特徴とする請求項５または６に記載のホットパック加温システム。
【請求項８】
前記ホットパック収納手段は、前記加温槽内の満水位、または満水位より低い規定水位の湯中に前記ホットパックが浸かっている状態で前記ホットパック側の支持部が前記加温槽内の湯面から露出するように、前記ホットパックを前記加温槽に収納する、
ことを特徴とする請求項５ないし７のいずれか一項に記載のホットパック加温システム。
【請求項９】
前記被係合部は、前記加温槽内の満水位、または満水位より低い規定水位の湯中に前記ホットパックが浸かっている状態で前記加温槽内の湯面から露出する、
ことを特徴とする請求項５ないし８のいずれか一項に記載のホットパック加温システム。
【発明の詳細な説明】
【技術分野】
【０００１】
本発明は、ホットパック、および、ホットパックを加温する湯を貯める加温槽を備えたホットパック加温装置とホットパックからなるホットパック加温システムに関する。
【背景技術】
【０００２】
ホットパックは、一般的に、腰痛症や肩痛症にかかっている人体患部の温熱治療を施す際に使用される。このホットパックは、加温された状態にして、人体患部に接触させて使用される。
【０００３】
このようなホットパックは、加温槽内の湯中に、浸漬され、必要な温度にまで加温されると、加温槽内から取り出されて温熱治療に使用される。
【０００４】
下記特許文献１に記載の従来例のホットパック加温装置では、そうした加温槽内に複数の仕切り枠を備え、仕切り枠毎にホットパックが収納される。
【０００５】
また、この従来例では、ホットパックが必要な温度にまで加温されると、ホットパックは加温槽内から取り出されて温熱治療に使用され、ホットパックの温度が下がると、加温槽内の仕切り枠の空いている場所に戻されて再び加温される。
【０００６】
また、この従来例では、加温槽内を清掃する際には、仕切り枠が加温槽内から取り出されて、清掃が行われるようになっている。
【先行技術文献】
【特許文献】
【０００７】
【特許文献１】実用新案登録２５７７５４１号公報
【発明の概要】
【発明が解決しようとする課題】
【０００８】
特許文献１のホットパック加温装置では、使用者は、加温槽内において温熱治療に使用後のホットパックを加温槽に戻す箇所を記憶しておき、加温槽内において、それ以外のホットパックの中から温熱治療に適した温度に加温されたホットパックを選択して使用する必要がある。
【０００９】
しかしながら、使用者が治療室にある様々な治療器を操作しながら、加温槽内における使用後のホットパックの戻し箇所を記憶しておくことや、加温槽内におけるそれ以外の複数のホットパックの中から、温熱治療に適した温度に加温されたホットパックを選択して使用することは困難で、且つ、非常に面倒なことであるうえ、加温が不十分なホットパックに気付かずに当該ホットパックを温熱治療に使用してしまうこともある。
【００１０】
また、仕切り枠に区切られ保管されているホットパックを、棒の先端に引っ掛けて加温槽内から取り出す際に、ホットパックの引掛け部分が水没していて、ホットパックの引掛け部分が見えにくいことがあり、このような場合では、使用者がホットパックの引掛け部分を見ようとしても湯熱で近づくことができないため、ホットパックを加温槽内から取り出しにくく、場合によっては火傷する虞も指摘される。
【００１１】
特に、仕切り枠数が多いと、加温槽内に仕切り枠の設置にスペースがとられて加温槽のサイズが大型化し、コンパクトな加温槽を製作し難いうえ、加温槽内の必要水量も増え、効率が悪い。また、ホットパックの収納数が増えると仕切り枠が増加し、これに伴って清掃箇所が増えて、清掃が面倒となる。
【００１２】
本発明は、上記課題に鑑みてなされたものであり、加温槽内でホットパックの不規則な収納位置を記憶する必要がなく、且つホットパックを加温槽内から安全且つ容易に取り出したり収納したりすることができると共に、コンパクトであり、且つ、ホットパックの収納数が増えても清掃等を容易に行うことができるホットパック加温装置を備えたホットパック加温システム、および、これに使用するホットパックを提供することを目的とする。
【課題を解決するための手段】
【００１３】
本発明は、上記目的を達成するため、以下の手段を提供する。
【００１４】
(１)  本発明に係るホットパックは、ホットパック加温装置で加温されるホットパックであって、
前記ホットパック加温装置は、湯が貯められる加温槽を備え、前記加温槽内の前記湯で前記ホットパックを加温するものであり、前記加温槽内に、前記ホットパックを所定方向スライド可能に収納するホットパック収納手段を具備し、前記ホットパック収納手段は、前記ホットパックに取り付けた係合部に係合する被係合部を備え、
前記ホットパックは前記係合部を着脱可能に備えている。
【００１５】
この構成によれば、係合部が破損しても、その破損した係合部を新規な係合部と取り換えるだけで済むため、ホットパックそれ自体は、係合部の破損の影響を受けずに使用することができる。
【００１６】
(２)  本発明に係るホットパックにおいて、好ましくは、
前記係合部の着脱が可能な係止部を当該ホットパックの側面上部に備えている。
【００１７】
この構成によれば、前記(１)の効果を提供できるホットパックが得られる。
【００１８】
(３)  本発明に係るホットパックにおいて、好ましくは、
前記ホットパックを前記加温槽内から少なくとも取出す際に支持するための支持部を備えている。
【００１９】
この構成によれば、取出しやすい、また収納しやすいホットパックが得られる。
【００２０】
(４)  本発明に係るホットパックにおいて、好ましくは、
前記支持部を前記係合部と一体に設けている。
【００２１】
この構成によれば、支持部と係合部とを一体化することで、ホットパックの製作コストの低減化が図れる。また、支持部自体を使用者が把持できるようにすることで、ホットパックを被係合部に容易に引掛けることが可能となる。
【００２２】
(５)  本発明に係るホットパック加温システムは、前記(１)ないし(４)のいずれかのホットパックと、前記ホットパック加温装置とを備えていることを特徴とする。
【００２３】
この構成によれば、前記ホットパック収納手段において、ホットパックを所定方向へスライドさせる側を、加温槽内からホットパックを取り出す取出側とし、前記所定方向とは反対方向の側を、ホットパックを加温槽内に収納する収納側と予め決めておく。
【００２４】
そうすると、例えば、使用済みのホットパックを加温槽内に収納する際は、加温槽内に先に収納されているホットパックを前記取出側へスライドさせて、前記収納側に使用済みのホットパックの収納スペースを確保することができる。これによって、その収納スペースに使用済のホットパックを収納することができる。
【００２５】
そして、ホットパックは前記収納側から前記取出側へ順次にスライドされて加温槽内に収納されるので、これら収納されているホットパックのうち、前記取出側のホットパックが最も高温に加温されていることになる。そのため、加温槽内からホットパックを取り出して温熱治療に使用する際は、前記取出側のホットパックから順次に取り出して使用すればよい。これにより、使用者は、温熱治療に使用するホットパックを簡単に何等戸惑うことなく加温槽内から取り出して温熱治療に使用することができる。
【００２６】
さらに、この構成によれば、加温槽内の底面上にホットパックを落とすことなく、当該ホットパックを前記所定方向へ確実にスライドさせることができる。
【００２７】
(６)  本発明のホットパック加温システムにおいて、好ましくは、
前記係合部はフック形状を有しており、
前記被係合部は、所定方向に延びるレール状であって当該被係合部上のいずれの箇所にも前記係合部を係合可能であり、
且つ前記被係合部は、当該被係合部上の任意の箇所で係合させた前記係合部を前記ホットパックと共に前記所定方向に沿ってスライド可能にしてある。
【００２８】
この構成によれば、ホットパックをフック形状の係合部に係合させ、この係合部を被係合部に係合させると、ホットパックを、被係合部上で所定方向に沿って容易にスライドさせることができる。ここでフック形状とは、先端が内側に屈曲することでホットパックと係合可能となった形状（例えば鉤状の形状）をいう。
【００２９】
(７)  本発明のホットパック加温システムにおいて、好ましくは、
前記被係合部が、前記加温槽内に着脱可能に設けられている。
【００３０】
この構成によれば、被係合部が破損しても、破損した被係合部を新規の被係合部と取り換えるだけでよい。そのため、被係合部が破損したことよるホットパック加温装置の使用には影響しないで済む。また、被係合部を加温槽内から除去できるため、加温槽内の清掃が容易となる。また、被係合部それ自体の清掃も簡単にできて好ましい。
【００３１】
(８)  本発明のホットパック加温システムにおいて、好ましくは、
前記ホットパック収納手段は、前記加温槽内の満水位、または満水位より低い規定水位の湯中に前記ホットパックが浸かっている状態で前記ホットパック側の支持部が前記加温槽内の湯面から露出するように、前記ホットパックを前記加温槽に収納する。
【００３２】
この構成によれば、ホットパック収納手段がホットパック側の支持部が加温槽内の湯面から露出するようにホットパックを加温槽に収納するので、使用者は、湯面の波による光の屈折などの影響を受けずに容易にホットパック支持部を視認でき、ホットパックを加温槽内から取り出したり、加温槽内に投入したりする際に不必要に加温槽内の湯に使用者が近づく必要がない。これにより、火傷の虞なく容易にホットパックを加温槽内から取り出したり、加温槽内に投入して収納したりすることができる。
【００３３】
(９)  本発明のホットパック加温システムにおいて、好ましくは、
前記被係合部は、前記加温槽内の満水位、または満水位より低い規定水位の湯中に前記ホットパックが浸かっている状態で前記加温槽内の湯面から露出する。
【００３４】
この構成によれば、ホットパック収納手段が加温槽内の湯面から露出するので、使用者は、湯面の波による光の屈折などの影響を受けずに容易にホットパック収納手段を視認でき、ホットパックを加温槽内から取り出したり、加温槽内に投入したりする際に不必要に加温槽内の湯に使用者が近づく必要がない。これにより、火傷の虞なく容易にホットパックを加温槽内から取り出したり、加温槽内に投入して収納したりすることができる。
【発明の効果】
【００３５】
本発明によれば、加温槽内で次の温熱治療に使用するホットパックの不規則な収納位置を記憶する必要がなく、且つホットパックを安全且つ容易に選択して加温槽内から取り出したり収納したりすることができると共に、加温槽内の清掃も容易に行うことが可能である。
【図面の簡単な説明】
【００３６】
【図１】本発明の一実施形態に係るホットパック加温装置の蓋が開いた状態の平面図である。
【図２】図１におけるＡ-Ａ矢視方向の断面図である。
【図３】収納手段の斜視図である。
【図４】ホットパックの正面図である。
【図５】図４のＢ-Ｂ線に沿う断面図である。
【図６】図５の破線円で囲む部分の拡大斜視図である。
【図７】係合部の拡大斜視図である。
【図８】別実施形態の係合部の拡大斜視図である。
【発明を実施するための形態】
【００３７】
以下、添付した図面を参照して、本発明の実施形態を詳細に説明する。
【００３８】
図１および図２を参照して、本発明の一実施形態を説明する。図１は、蓋が開いた状態にあるホットパック加温装置の平面図、図２は図１のＡ-Ａ矢視方向の断面図である。
【００３９】
ホットパック加温装置１は、装置本体２を有する。
【００４０】
装置本体２は平面視矩形状の筐体構造をなし、上部が開口している。装置本体２内部には、ホットパック３を湯で加温する加温槽４が設置されている。
【００４１】
加温槽４は、上部が開口した有底の筐体構造をなし、当該槽内の底部寄りに底板５を備える。加温槽４内において、底板５よりも上部空間側はホットパック３の収納空間となり、底板５よりも下部空間側は平面視略環状のヒータ６の配設空間となっている。底板５には、複数の穴５ａが開けられている。
【００４２】
加温槽４内に貯められた水は、ヒータ６が作動すると、使用者が設定した温度、例えば、約８０℃程度に加温することができるようになっている。ヒータ６は、例えば、銅線等の導電線が、耐熱性・絶縁性・防水性の被覆材で被覆されてなり、抵抗加熱方式で加熱される。
【００４３】
装置本体２の上部開口には、加温槽４内の湯の温度低下を軽減させる為の蓋７が開閉自在に設けられている。
【００４４】
ホットパック加温装置１は、ホットパック収納手段８を備える。ホットパック収納手段８は、ホットパック３側に着脱可能に取り付けられるフック状係合部９と、このフック状係合部９に係合されるレール状被係合部１０とを含む。
【００４５】
加温槽４の内壁には、レール状被係合部１０よりも上方位置に満水位表示部１１が、また、レール状被係合部１０よりも下方位置に規定水位表示部１２が、それぞれ設けられている。
【００４６】
これら表示部１１，１２は、加温槽４の内壁に所定形状に形成した凹部で構成されており、加温槽４内の水位が満水位を超えているか否か、あるいは規定水位を超えているか否かが使用者に分かるようになっている。規定水位表示部１２は実施形態では１つであるが、加温槽４の内壁に各水位に沿って複数箇所に設けてもよい。表示部１１，１２は前記凹部以外に、例えば、加温槽４の内壁に当該表示箇所に着色したり等で形成してもよく、その形成方法には特に限定されない。
【００４７】
満水位は、ホットパック３の上部に設けられた支持部１３を残してホットパック３が加温槽５内に水没する水位であり、且つ、ホットパック５を所定温度以上に加温するのに十分な水位である。満水位表示部１１を設けることにより使用者は加温槽４内の湯面から支持部１３が露出するように加温槽４内に湯を貯めることができる。
【００４８】
規定水位は、ホットパック３を所定温度に加温できる水位であり、且つ、加温槽４内においてホットパック収納手段８が水没しないで露出する水位である。規定水位表示部１２を設けることによってホットパック収納手段８が湯面から露出するように加温漕４内に湯を貯めることができる。
【００４９】
なお、ホットパック収納手段８は、加温槽４内の満水位の湯中にホットパック３が浸かっている状態で加温槽４内の湯面から露出する位置にホットパック収納手段８が配置されるように、ホットパック３を加温槽４に収納してもよい。このような配置を実現するためには、加温槽４における満水位の位置を一定に固定したうえで、固定した満水位の位置より若干上方位置に支持部１３が配置されるように、レール状被係合部１０の高さ位置を設定すればよい。
【００５０】
図３ないし図５を参照して、ホットパック収納手段８およびホットパック３についてさらに詳細に説明する。
【００５１】
ホットパック収納手段８は、前記したように、フック状係合部９と、レール状被係合部１０とを含む。
【００５２】
フック状係合部９は、ホットパック３の側面上部の可撓性筒状係止部１４に着脱可能に取り付けられる。可撓性筒状係止部１４は、フック状係合部９が入り込める変形可能な可撓性の筒状体となっている。可撓性筒状係止部１４は、その両端１４ａ，１４ａがホットパック３の側部内に延びてホットパック３と一体となっている。
【００５３】
レール状被係合部１０は、上下２本のレール状体１０１，１０２の組合せからなり、その両端が一対の高さ同一の支持枠１０ａ，１０ａで水平に支持されている。支持枠１０ａ，１０ａそれぞれの上部側には加温槽４に固定のための突起１０ｂ，１０ｂが形成されている。一対の支持枠１０ａ，１０ａの下端は、底板５上に平面視片仮名「コ」の字状で配置された取付枠１０ｃに接続されている。取付枠１０ｃの両端は、下方に突出した固定端１０ｄ，１０ｄとなっている。
【００５４】
固定端１０ｄ，１０ｄは、加温槽４内の底板５に設けた嵌合穴に嵌脱可能に嵌合される(図２参照)。固定端１０ｄ，１０ｄが、加温槽４内の底板５の嵌合穴に嵌合されると、レール状被係合部１０は、加温槽４の内壁面に沿って水平直線状に取り付けられる。レール状被係合部１０は、支持枠１０ａ，１０ａおよび取付枠１０ｃと一体になって加温槽４から着脱可能に取り付けられる。
【００５５】
これにより、レール状被係合部１０を支持枠１０ａ，１０ａおよび取付枠１０ｃと共に加温槽４内から取り出すことで、加温槽４内の清掃や、レール状被係合部１０、支持枠１０ａ，１０ａおよび取付枠１０ｃの清掃を容易に実施することができる。なお、レール状被係合部１０は、上記のように加温槽４内から着脱できない構成とし、加温槽４の内壁面に設けた凹凸で構成してもよい。
【００５６】
なお、ホットパック３の可撓性筒状係止部１４は、該ホットパック３の一方の側部に設けられているが、ホットパック３の両側部に設けてもよい。そうすると、ホットパック３は、レール状被係合部１０に対して、係合部９を介して係合させて、加温漕４内に収納するとき、レール状被係合部１０に対して、収納の方向性が無くなり、収納作業が便利となる。
【００５７】
また、ホットパック３の可撓性筒状係止部１４がホットパック３の両側部に設けられている場合、レール状被係合部１０は、加温漕４の対向する一対の内壁側のそれぞれに設置してもよい。
【００５８】
ホットパック収納手段８の作用を説明する。
【００５９】
フック状係合部９は、ホットパック３の可撓性筒状係止部１４に装着される。この装着状態で、フック状係合部９がレール状被係合部１０に係合されると、ホットパック３は、レール状被係合部１０に沿って図３中の矢印ａ方向(所定方向)にスライドさせることができる。
【００６０】
このスライド方向にあるレール状被係合部１０の一端側１０ｅをホットパック取出側とする。また、前記スライド方向とは反対方向にあるレール状被係合部１０の他端側１０ｆを、使用後のホットパック３を加温槽４内に戻して収納するホットパック収納側とする。
【００６１】
使用者は、使用済みのホットパック３を加温槽４内に収納する際は、加温槽４内に先に収納されているホットパック３をホットパック取出側である一端側１０ｅへスライドさせて、ホットパック収納側である他端側１０ｆに使用済みのホットパック３の収納スペースを確保する。
【００６２】
これにより、その収納スペースに使用済のホットパック３を収納する。この収納によって、レール状被係合部１０の他端側１０ｆからホットパック取出側である一端側１０ｅまでの間に加温槽４内に収納された複数のホットパック３のうち、ホットパック取出側である一端側１０ｅのホットパック３が最も高温に加温されていることになる。そのため、使用者は、ホットパック取出側である一端側１０ｅにあるホットパック３を加温槽４内から取り出して温熱治療に使用することができる。
【００６３】
このように、ホットパック収納手段８によれば、使用者は、従来のように加温槽４内におけるホットパック３の不規則な収納箇所や取出箇所を記憶する必要なく、温熱治療に適した温度に加温されたホットパック３を加温槽４内から取り出したり、また、使用後のホットパック３を加温槽４内に収納したりすることができる。そのため、ホットパック３の取り出しや収納を従来よりも簡単に且つ容易に行うことができる。
【００６４】
ホットパック３は、一例として、布、または塩化ビニールの包装３ａと、この包装３ａ内に縦横列になって設けた複数の収納部分３ｂとを備える。収納部分３ｂには保温材としてベントナイトなど、吸湿性が高い材質のものが内封される。
【００６５】
ホットパック３は、前記したように、加温槽４内の湯で、温熱治療に適した温度(約８０℃)にまで加温される。ホットパック３は、その可撓性筒状係止部１４にフック状係合部９が係止され、フック状係合部９は、レール状被係合部８に引掛けられることによって、加温槽４内に着脱可能に収納される。フック状係合部９が可撓性筒状係止部１４に着脱可能であることによって、フック状係合部９が破損しても、破損したフック状係合部９のみを新規のフック状係合部９と交換すればよい。
【００６６】
ホットパック３は、その上部に、支持部１３が取り付けられている。支持部１３は、ホットパック３の加温槽４内からの取り出し時と、加温槽４内への収納時に、例えば、先端が曲がった金属棒にホットパック３を引っ掛けるために使用される。
【００６７】
支持部１３は、ホットパック３の安定を考慮すれば、ホットパック３の重心鉛直方向上部に設置されるのが望ましいが、重心位置とは関係なく、ホットパック３の複数箇所に設けてもよい。支持部１３は、例えば、柔軟性のある素材（例えばナイロン）で構成され、患者に触れても不快感のない素材で構成されている。
【００６８】
支持部１３が、柔軟性のある素材で構成されていると、支持部１３が加温槽４内で屈曲し、ホットパック３を加温槽４内から取り出す際に、当該ホットパック３が他のホットパックなどと干渉し、支持するのが難しい状態となる恐れがある。
【００６９】
そのため、これを予防するために、支持部１３は、ホットパック３に縫製する際にその両端がホットパック３の表裏別面に縫製されている。これによって、支持部１３は屈曲することなく、ホットパック３は加温槽４内で支持しやすい状態で保持される。
【００７０】
図６ないし図７を参照して、ホットパック収納手段８のフック状係合部９を説明する。フック状係合部９は、略平行に対向する一対の対向部分９ａと、両対向部分９ａを連結する連結部分９ｂとで、片仮名「コ」の字状になっている。フック状係合部９の一方の対向部分９ａの下端は、抜け止め部９ｃを備えている。
【００７１】
この抜け止め部９ｃは、フック状係合部９が可撓性筒状係止部１４に装着された後、可撓性筒状係止部１４から意図せず抜けないようにするため、他方の対向部分９ａへ折れ曲がった形状となっている。
【００７２】
フック状係合部９は、工具無く可撓性筒状係止部１４に装着できる。そのため、使用者は、自由に、フック状係合部９を可撓性筒状係止部１４から着脱して交換することが可能である。
【００７３】
フック状係合部９は、可撓性筒状係止部１４内で意図せず回転しないように、一方の対向部分９ａの両面が外側へ突出した回り止め部９ｄを備えている。
【００７４】
フック状係合部９が、回り止め部９ｄを備えていることで、フック状係合部９の外面と可撓性筒状係止部１４の内面との摩擦が増加する、そのため、フック状係合部９は、その摩擦によって、可撓性筒状係止部１４内で回転することが抑制される。
【００７５】
これによって、フック状係合部９をレール状被係合部１０に係合させる時に、フック状係合部９はレール状被係合部１０に対して一定方向に留まり、ホットパック３を、フック状係合部９を介して、レール状被係合部１０に装着して収納し易くなる。
【００７６】
例えば、ホットパック３をその支持部１３で支持した状態で、フック状係合部９をレール状被係合部１０に引っ掛けて加温槽４内に収納するときは、フック状係合部９はその回り止め部９ｄで回り止めされているので、ホットパック３は図３の姿勢状態を維持して収納させやすくなる。
【００７７】
上記実施形態では、支持部１３とフック状係合部９は、別々に構成されているが、図８に示すように、これらを一体構成にした係合支持部９Ａとしてもよい。
【００７８】
この係合支持部９Ａは、上部が円形の支持部９１となり、下部が「コ」の字状のフック状係合部９２となる。フック状係合部９２は、前記と同様、ホットパック３の可撓性筒状係止部１４からの抜け止め部９２ａと、可撓性筒状係止部１４内部での回り止め部９２ｂとを有する。
【００７９】
このような構成を有する係合支持部９Ａによれば、ホットパック３側に別途に支持部１３を設けることが不要となるため、ホットパック３の製作費用を低減できる。また、支持部９１自体を使用者が把持できるので、ホットパック３のフック状係合部９２をレール状被係合部１０に容易に引掛けることが可能となる。
【００８０】
以上説明したように、この実施形態では、ホットパック３をレール状被係合部１０上の一端側へスライドさせると、レール状被係合部１０の他端側に使用済みのホットパックの収納スペースを確保することができるので、その収納スペースに使用済のホットパックを収納することができる。
【００８１】
そして、レール状被係合部１０の他端側から一端側へ順次に加温槽内に収納された複数のホットパック３のうち、一端側のホットパック３が最も高温に加温されていることになるので、加温槽４内からホットパック３を取り出して温熱治療に使用する際は、ホットパック３をレール状被係合部１０の一端側のホットパック３から順次に取り出せばよい。そのため、使用者は、温熱治療に使用するホットパック３を簡単に何等戸惑うことなく加温槽４内から取り出すことができる。
【００８２】
本発明は、その精神または主要な特徴から逸脱することなく、他のいろいろな形態で実施できる。したがって、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【符号の説明】
【００８３】
１  ホットパック加温装置
２  装置本体
３  ホットパック
４  加温槽
５  底板
５ａ  穴
６  ヒータ
７  蓋
８  ホットパック収納手段
９  フック状係合部
１０  レール状被係合部
１１  満水位表示部
１２  規定水位表示部
１３  ホットパック３の支持部
１４  ホットパック３の可撓性筒状係止部
【図１】
0006608593.tif 000002
【図２】
0006608593.tif 000003
【図３】
0006608593.tif 000004
【図４】
0006608593.tif 000005
【図５】
0006608593.tif 000006
【図６】
0006608593.tif 000007
【図７】
0006608593.tif 000008
【図８】
0006608593.tif 000009